【手続補正書】
【提出日】平成17年6月15日(2005.6.15)
【手続補正１】
【補正対象書類名】特許請求の範囲
【補正対象項目名】全文
【補正方法】変更
【補正の内容】
【特許請求の範囲】
【請求項１】
操作者の指の移動半径内に位置し、所望の用語を入力するために必要な文字の数と、実行すべき機能に対する命令の数との和に相当する複数のキーを有しているキーパッドにおいて、
前記キーパッドの前記キーの中で、文字及び機能実行命令を入力する際、相対的に高い頻度にて使用される文字に割り当てられている高使用頻度のキー部分に該当する第１組のキーは、前記キーパッド上の眼の焦点を中心とし、かつ操作者の指による最小移動半径による第１の想定円の周囲に設定された環状の形態に沿って、アルファベットの文字によるキーが最初のスタートとなるキーから順次連続する各キーが、先行する各キーよりも後のアルファベットによる順序となるように配列されており、前記キーの中で、文字及び機能実行命令を入力する際、相対的に低い頻度にて使用される文字に割り当てられている低使用頻度のキー部分に該当する第２組のキーは、前記第１の円と同心で、前記操作者の指の前記最小移動半径より大きい半径に基づいている第２の想定円の周囲に形成された環状の形態に沿って、アルファベットの文字によるキーが最初のスタートとなるキーから順次連続する各キーが、先行する各キーよりも後のアルファベットによる順序となるように配列されたことに基づく、１本の指のみで作動させることができるデータ入力用キーパッド。
【請求項２】
第１組のキーの大部分が、文字を入力する際、相対的に高い頻度にて使用される母音字キーであることを特徴とする、請求項１に記載の１本の指のみで作動させることができるデータ入力用キーパッド。
【請求項３】
第２組のキーが、文字を入力する際、相対的に稀に使用される子音字キーを有していることを特徴とする、請求項１に記載の１本の指のみで操作させることができるデータ入力用キーパッド。
【請求項４】
機能実行命令を入力する際、相対的に高い頻度にて使用される機能として割り当てられている少なくとも１個の第３キーによって構成された機能キー部分を有していることを特徴とする、請求項１に記載の１本の指のみで操作させることができるデータ入力用キーパッド。
【請求項５】
前記操作者の指の移動半径内に、複数の機能キーを更に有していることを特徴とする、請求項１に記載の１本の指のみで操作させることができるデータ入力用キーパッド。
【請求項６】
機能実行命令を入力する際、相対的に高い頻度にて使用される機能に割り当てられている少なくとも１個の機能キー部分を更に有し、
前記少なくとも１個の機能キーは前記高使用頻度のキー部分が配列されている環状の形態による区画の内側であって、前記第１の想定円、及び前記第２の想定円と同心で、前記最小移動半径より更に小さい半径による第３の想定円内に位置していることを特徴とする、請求項１に記載の１本の指のみで操作させることができるデータ入力用キーパッド。
【請求項７】
操作者の指の移動半径内に位置し、所望の用語を入力するために必要な文字の数と、実行すべき機能に対する命令の数との和に相当する複数のキーを有しているキーパッドにおいて、
前記キーパッドの前記キーの中で、文字及び機能実行命令を入力する際、相対的に高い頻度にて使用される文字及び数字に割り当てられている高使用頻度のキー部分に該当する第１組のキーは、前記キーパッド上の眼の焦点を中心とし、かつ操作者の指による最小移動半径による第１の想定円の周囲に設定された環状の形態に沿って数字が連続した数値の順序にて配列されており、前記キーの中で、文字及び機能実行命令を入力する際、相対的に低い頻度にて使用される他のキーシンボル又は符号に割り当てられている低使用頻度のキー部分に該当する第２組のキーは、前記第１の円と同心で、前記操作者の指の前記最小移動半径より大きい半径に基づいている第２の想定円の周囲に形成された環状の形態に沿って配列されたことに基づく、１本の指のみで作動させることができるデータ入力用キーパッド。
【請求項８】
前記第１組のキー及び前記第２組のキーが、任意の国際アルファベット、又は記号に対応し得ることを特徴とする、請求項１に記載の１本の指のみで操作させることができるデータ入力用キーパッド。
【請求項９】
前記高使用頻度、及び前記低使用頻度の各キー部分による区画領域が設定可能なあらゆる環状の形態を形成していることを特徴とする、請求項１に記載の１本の指のみで操作させることができるデータ入力用キーパッド。
【請求項１０】
前記第１組のキー、及び前記第２組のキーが、任意の寸法又は物理的形状を有していることを特徴とする、請求項１に記載の１本の指のみで操作させることができるデータ入力用キーパッド。
【請求項１１】
前記第２組のキーが、前記第１組のキーから所定距離を隔て、かつ同心状に位置しており、しかも前記第１組のキー、及び前記第２組のキーにおいて、アルファベット、及び数字が時計回りの方向に沿って配列されていることを特徴とする、請求項１に記載の１本の指のみで操作させることができるデータ入力用キーパッド。
【請求項１２】
前記第１組のキー、及び前記第２組のキーが、各同心円上に、選択された文字順に並んでいることを特徴とする、請求項１に記載の１本の指のみで操作させることができるデータ入力用キーパッド。
【請求項１３】
前記キーパッド装置が、１本の親指によって操作され得ることを特徴とする、請求項１に記載の１本の指のみで作動させることができるデータ入力用キーパッド。
【請求項１４】
前記キーパッド装置が、両方の親指によって操作され得ることを特徴とする、請求項１に記載の１本の指のみで操作させることができるデータ入力用キーパッド。
【請求項１５】
前記第２組のキーは前記第１組のキーから所定距離を隔て、かつ同心状に位置しており、しかも前記第１組のキーと、前記第２組のキーとの相互の組み合わせによって、アルファベット、及び数字が時計回りの方向に沿って配列されており、前記第１組のキー、及び前記第２組のキー内においても、アルファベット、及び数字の順序が概略維持されていることを特徴とする、請求項１に記載の１本の指のみで操作させることができるデータ入力用キーパッド。
【請求項１６】
前記第１組のキー、及び前記第２組のキーが、それぞれ同心円に沿って可能な限りアルファベットの順序に近い状態にて、時計回りの方向に沿って、連続した状態にて配列されていることを特徴とする、請求項１に記載の１本の指のみで操作させることができるデータ入力用キーパッド。
【請求項１７】
所定の順序に配列された複数個のキーによる第１組のキーにおいては、アルファベットの文字によるキーが最初のスタート位置にあるキーから順次連続する各キーが、先行する各キーよりも、後のアルファベットによる順序となっている文字を有することによって、配列されたアルファベットによるキーを包摂した状態にて、目の焦点と一致する中心、及び所定の環状の形態を有しており、複数のキーによる第２組のキーにおいては、アルファベットの文字によるキーが最初のスタート位置にあるキーから順次連続する各キーが、先行する各キーよりも、後のアルファベットによる配列されたアルファベットによるキーを包摂した状態にて、前記第１組のキーの前記環状の形態に対し、外側において同心状に囲んだ状態となっていることに基づく、キーパッド。
【請求項１８】
前記第１組のキーは、入力の際、概略頻繁に使用されるキーを有しており、前記第２組のキーは、入力の際、使用頻度が少ないキーを有していることを特徴とする、請求項１７に記載のキーパッド。
【請求項１９】
前記第１組のキー、及び第２組のキーのそれぞれは、時計回りの方向に沿って、アルファベット順に配列されているキーを有していることを特徴とする、請求項１７に記載のキーパッド。
【請求項２０】
所定の機能を実行するため、前記キーパッドに設けられたキーの配列を更に有していることを特徴とする、請求項１８に記載のキーパッド。
【請求項２１】
前記第１組のキー、又は前記第２組のキーが、数字を入力するためのキーを有していることを特徴とする、請求項１８に記載のキーパッド。
【請求項２２】
前記第１組のキー、及び第２組のキーが、所定の国際語の文字を入力するためのキーを有していることを特徴とする、請求項１８に記載のキーパッド。
【請求項２３】
前記第１組のキーの殆どが母音字を有しており、前記第２組のキーが子音字のみを有していることを特徴とする、請求項２２に記載のキーパッド。
【請求項２４】
前記第１組のキー、及び第２組のキーの両方が、アルファベット順に、時計回りの方向に沿って配列された子音字と、前記時計回りの方向による配列と隣接する位置に異なる所定の様式によって配列された母音字とを有していることを特徴とする、請求項２２に記載のキーパッド。
【請求項２５】
異なる事項に対応している文字及び機能を選択して入力するための１組のキーを更に有していることを特徴とする、請求項１７に記載のキーパッド。
【請求項２６】
異なる事項に対応している文字及び機能を選択して入力するための第３組のキーが環状に配列されている前記第１組のキーの内側であって、かつ眼の焦点の近くに配列されていることを特徴とする、請求項１７に記載のキーパッド。
【請求項２７】
前記第１組のキー、及び前記第２組のキーによる環状の形態の内側に配列され、所定の機能を実行するための複数のキーを更に有していることを特徴とする、請求項１７に記載のキーパッド。
【請求項２８】
前記第１組のキー、及び前記第２組のキーによる環状の形態の内側に配列され、所定の記号文字を入力するための複数のキーを更に有していることを特徴とする、請求項１７に記載のキーパッド。
【請求項２９】
前記第１組のキーの領域範囲内において、前記キーパッドに取り付けられたスペースキーを更に有していることを特徴とする、請求項１７に記載のキーパッド。
【請求項３０】
前記第１組のキーが、入力の際、低使用頻度のキーを有しており、前記第２組のキーは入力の際、高使用頻度のキーを有していることを特徴とする、請求項１７に記載のキーパッド。
【請求項３１】
前記第１組のキーが、子音字のみを有しており、前記第２組のキーが、概略母音字を有していることを特徴とする、請求項２２に記載のキーパッド。
【請求項３２】
前記母音字が、前記第２組のキーによる環状の形態に隣接して、直線状に配列されていることを特徴とする、請求項２４に記載のキーパッド。
【手続補正２】
【補正対象書類名】明細書
【補正対象項目名】００１９
【補正方法】変更
【補正の内容】
【００１９】
上記課題を解決するために、本発明は、以下のような構成を採用している。
（１）  操作者の指の移動半径内に位置し、所望の用語を入力するために必要な文字の数と、実行すべき機能に対する命令の数との和に相当する複数のキーを有しているキーパッドにおいて、
前記キーパッドの前記キーの中で、文字及び機能実行命令を入力する際、相対的に高い頻度にて使用される文字に割り当てられている高使用頻度のキー部分に該当する第１組のキーは、前記キーパッド上の眼の焦点を中心とし、かつ操作者の指による最小移動半径による第１の想定円の周囲に設定された環状の形態に沿って、アルファベットの文字によるキーが最初のスタートとなるキーから順次連続する各キーが、先行する各キーよりも後のアルファベットによる順序となるように配列されており、前記キーの中で、文字及び機能実行命令を入力する際、相対的に低い頻度にて使用される文字に割り当てられている低使用頻度のキー部分に該当する第２組のキーは、前記第１の円と同心で、前記操作者の指の前記最小移動半径より大きい半径に基づいている第２の想定円の周囲に形成された環状の形態に沿って、アルファベットの文字によるキーが最初のスタートとなるキーから順次連続する各キーが、先行する各キーよりも後のアルファベットによる順序となるように配列されたことに基づく、１本の指のみで作動させることができるデータ入力用キーパッド。
（２）  第１組のキーの大部分が、文字を入力する際、相対的に高い頻度にて使用される母音字キーであることを特徴とする、（１）に記載の１本の指のみで作動させることができるデータ入力用キーパッド。
（３）  第２組のキーが、文字を入力する際、相対的に稀に使用される子音字キーを有していることを特徴とする、（１）に記載の１本の指のみで操作させることができるデータ入力用キーパッド。
（４）  機能実行命令を入力する際、相対的に高い頻度にて使用される機能として割り当てられている少なくとも１個の第３キーによって構成された機能キー部分を有していることを特徴とする、（１）に記載の１本の指のみで操作させることができるデータ入力用キーパッド。
（５）  前記操作者の指の移動半径内に、複数の機能キーを更に有していることを特徴とする、（１）に記載の１本の指のみで操作させることができるデータ入力用キーパッド。
（６）  機能実行命令を入力する際、相対的に高い頻度にて使用される機能に割り当てられている少なくとも１個の機能キー部分を更に有し、
前記少なくとも１個の機能キーは前記高使用頻度のキー部分が配列されている環状の形態による区画の内側であって、前記第１の想定円、及び前記第２の想定円と同心で、前記最小移動半径より更に小さい半径による第３の想定円内に位置していることを特徴とする、（１）に記載の１本の指のみで操作させることができるデータ入力用キーパッド。
（７）  操作者の指の移動半径内に位置し、所望の用語を入力するために必要な文字の数と、実行すべき機能に対する命令の数との和に相当する複数のキーを有しているキーパッドにおいて、
前記キーパッドの前記キーの中で、文字及び機能実行命令を入力する際、相対的に高い頻度にて使用される文字及び数字に割り当てられている高使用頻度のキー部分に該当する第１組のキーは、前記キーパッド上の眼の焦点を中心とし、かつ操作者の指による最小移動半径による第１の想定円の周囲に設定された環状の形態に沿って数字が連続した数値の順序にて配列されており、前記キーの中で、文字及び機能実行命令を入力する際、相対的に低い頻度にて使用される他のキーシンボル又は符号に割り当てられている低使用頻度のキー部分に該当する第２組のキーは、前記第１の円と同心で、前記操作者の指の前記最小移動半径より大きい半径に基づいている第２の想定円の周囲に形成された環状の形態に沿って配列されたことに基づく、１本の指のみで作動させることができるデータ入力用キーパッド。
（８）  前記第１組のキー及び前記第２組のキーが、任意の国際アルファベット、又は記号に対応し得ることを特徴とする、（１）に記載の１本の指のみで操作させることができるデータ入力用キーパッド。
（９）  前記高使用頻度、及び前記低使用頻度の各キー部分による区画領域が設定可能なあらゆる環状の形態を形成していることを特徴とする、（１）に記載の１本の指のみで操作させることができるデータ入力用キーパッド。
（１０）  前記第１組のキー、及び前記第２組のキーが、任意の寸法又は物理的形状を有していることを特徴とする、（１）に記載の１本の指のみで操作させることができるデータ入力用キーパッド。
（１１）  前記第２組のキーが、前記第１組のキーから所定距離を隔て、かつ同心状に位置しており、しかも前記第１組のキー、及び前記第２組のキーにおいて、アルファベット、及び数字が時計回りの方向に沿って配列されていることを特徴とする、（１）に記載の１本の指のみで操作させることができるデータ入力用キーパッド。
（１２）  前記第１組のキー、及び前記第２組のキーが、各同心円上に、選択された文字順に並んでいることを特徴とする、（１）に記載の１本の指のみで操作させることができるデータ入力用キーパッド。
（１３）  前記キーパッド装置が、１本の親指によって操作され得ることを特徴とする、（１）に記載の１本の指のみで作動させることができるデータ入力用キーパッド。
（１４）  前記キーパッド装置が、両方の親指によって操作され得ることを特徴とする、（１）に記載の１本の指のみで操作させることができるデータ入力用キーパッド。
（１５）  前記第２組のキーは前記第１組のキーから所定距離を隔て、かつ同心状に位置しており、しかも前記第１組のキーと、前記第２組のキーとの相互の組み合わせによって、アルファベット、及び数字が時計回りの方向に沿って配列されており、前記第１組のキー、及び前記第２組のキー内においても、アルファベット、及び数字の順序が概略維持されていることを特徴とする、（１）に記載の１本の指のみで操作させることができるデータ入力用キーパッド。
（１６）  前記第１組のキー、及び前記第２組のキーが、それぞれ同心円に沿って可能な限りアルファベットの順序に近い状態にて、時計回りの方向に沿って、連続した状態にて配列されていることを特徴とする、（１）に記載の１本の指のみで操作させることができるデータ入力用キーパッド。
（１７）  所定の順序に配列された複数個のキーによる第１組のキーにおいては、アルファベットの文字によるキーが最初のスタート位置にあるキーから順次連続する各キーが、先行する各キーよりも、後のアルファベットによる順序となっている文字を有することによって、配列されたアルファベットによるキーを包摂した状態にて、目の焦点と一致する中心、及び所定の環状の形態を有しており、複数のキーによる第２組のキーにおいては、アルファベットの文字によるキーが最初のスタート位置にあるキーから順次連続する各キーが、先行する各キーよりも、後のアルファベットによる配列されたアルファベットによるキーを包摂した状態にて、前記第１組のキーの前記環状の形態に対し、外側において同心状に囲んだ状態となっていることに基づく、キーパッド。
（１８）  前記第１組のキーは、入力の際、概略頻繁に使用されるキーを有しており、前記第２組のキーは、入力の際、使用頻度が少ないキーを有していることを特徴とする、（１７）に記載のキーパッド。
（１９）  前記第１組のキー、及び第２組のキーのそれぞれは、時計回りの方向に沿って、アルファベット順に配列されているキーを有していることを特徴とする、（１７）に記載のキーパッド。
（２０）  所定の機能を実行するため、前記キーパッドに設けられたキーの配列を更に有していることを特徴とする、（１８）に記載のキーパッド。
（２１）  前記第１組のキー、又は前記第２組のキーが、数字を入力するためのキーを有していることを特徴とする、（１８）に記載のキーパッド。
（２２）  前記第１組のキー、及び第２組のキーが、所定の国際語の文字を入力するためのキーを有していることを特徴とする、（１８）に記載のキーパッド。
（２３）  前記第１組のキーの殆どが母音字を有しており、前記第２組のキーが子音字のみを有していることを特徴とする、（２２）に記載のキーパッド。
（２４）  前記第１組のキー、及び第２組のキーの両方が、アルファベット順に、時計回りの方向に沿って配列された子音字と、前記時計回りの方向による配列と隣接する位置に異なる所定の様式によって配列された母音字とを有していることを特徴とする、（２２）に記載のキーパッド。
（２５）  異なる事項に対応している文字及び機能を選択して入力するための１組のキーを更に有していることを特徴とする、（１７）に記載のキーパッド。
（２６）  異なる事項に対応している文字及び機能を選択して入力するための第３組のキーが環状に配列されている前記第１組のキーの内側であって、かつ眼の焦点の近くに配列されていることを特徴とする、（１７）に記載のキーパッド。
（２７）  前記第１組のキー、及び前記第２組のキーによる環状の形態の内側に配列され、所定の機能を実行するための複数のキーを更に有していることを特徴とする、（１７）に記載のキーパッド。
（２８）  前記第１組のキー、及び前記第２組のキーによる環状の形態の内側に配列され、所定の記号文字を入力するための複数のキーを更に有していることを特徴とする、（１７）に記載のキーパッド。
（２９）  前記第１組のキーの領域範囲内において、前記キーパッドに取り付けられたスペースキーを更に有していることを特徴とする、（１７）に記載のキーパッド。
（３０）  前記第１組のキーが、入力の際、低使用頻度のキーを有しており、前記第２組のキーは入力の際、高使用頻度のキーを有していることを特徴とする、（１７）に記載のキーパッド。
（３１）  前記第１組のキーが、子音字のみを有しており、前記第２組のキーが、概略母音字を有していることを特徴とする、（２２）に記載のキーパッド。
（３２）  前記母音字が、前記第２組のキーによる環状の形態に隣接して、直線状に配列されていることを特徴とする、（２４）に記載のキーパッド。